(57)【特許請求の範囲】
【請求項１】
第１くちばし（４Ａ）と、プラスチック製の挟持ブロック（１０）が装着された第２くちばし（４Ｂ）とを備えているテンプル矯正用プライヤであって、
第１くちばし（４Ａ）には、智（２１）およびテンプル（２２）の連結端どうしを、ヒンジ（２３）ごと挟持するための一対の挟持腕（５）が二又状に設けられており、
挟持ブロック（１０）の一側には、挟持腕（５）と対向する平坦な挟持面（１２）が設けられ、挟持ブロック（１０）の他側に設けた取付溝（１１）が、第２くちばし（４Ｂ）に設けた取付部（７）に外嵌されてビス（１３）で締結固定されており、
両挟持腕（５）の前後方向の全幅は、前記取付部（７）の前後幅と同じか、これよりも僅かに小さく設定されており、
両挟持腕（５）のヒンジ（２３）との接当隅部には、ヒンジ（２３）のボス部（２９）とベース部（２８）とを結ぶ湾曲面に沿うフィレット面（６）が形成されており、
挟持ブロック（１０）と両挟持腕（５）のフィレット面（６）とで、智（２１）およびテンプル（２２）の連結端と、ヒンジ（２３）の両脇のベース部（２８）とを、内外方向から挟持固定できるテンプル矯正用プライヤ。
【請求項２】
挟持ブロック（１０）の挟持面（１２）の前後縁に逃げ面（１６）を設けて、挟持面（１２）が先端へ向かって先細状に形成してある請求項１記載のテンプル矯正用プライヤ。  
【発明の詳細な説明】
【０００１】
【発明の属する技術分野】
本発明は、眼鏡のテンプルの開き具合や傾きを矯正する際に用いられるプライヤに関する。
【０００２】
【従来の技術】
既製品の眼鏡の殆どは、個々の使用者に応じてテンプルやパッドなどの形状修正を行う必要がある。そのために、数１０種もの専用プライヤが市販されている。これらのプライヤは眼鏡の特定部分を確実に挟持するために、例えばくちばしの部分に溝や凹部を備えている（特開平１１−９０８４１号公報）。さらに、一方あるいは両方のくちばしに、プラスチック製の挟持ブロックをビス止めして、挟持部分やその周辺部分の疵付きを防ぐようにしたプライヤもある（特開平１１−９０８４０号公報、同１１−９０８４２号公報）。
【０００３】
眼鏡を平面から見た時のテンプルの左右方向の開き具合や、眼鏡を側面から見た時のテンプルの上下方向の傾きを調整する際には、テンプルのコーナー角度を大小に変更し、あるいは智の上下角度を調整する。この調整を行う場合には、智の形状や構造、あるいはリム側の構造の違いによって、例えばプライヤでリムロックごとリムを挟持する場合と、智のリム側の基部を挟持する場合等がある。しかし、リムの下半周縁が省略されたツーポイントフレーム型の眼鏡や、智がレンズに対して直接ねじ止めしてあるリムのない眼鏡の場合には、リムやリムロックを挟持することができないため、智を挟持してテンプルを矯正し、その曲がり具合や傾きを調整する以外にない。
【０００４】
【発明が解決しようとする課題】
上記のようなテンプルの姿勢矯正は、多くの場合が既存のプライヤで行えるが、構造によっては智を確りと挟持できないことがある。智は、リムロックあるいはレンズに固定される基部と、基部から眼鏡後方へ突出する腕部とでＬ字状に形成してあるが、主としてデザイン上の要請から、腕部の突出寸法が極端に小さな智を使用することがある。このように腕部が短い智の場合には、既存のプライヤだとヒンジが邪魔になって腕部を確実に固定するのが難しく、テンプルの姿勢矯正に多くの手間が掛かる。とくにリムのない眼鏡の場合には、智の基部に過剰な力が作用すると、レンズを破損することがあり、テンプルの姿勢矯正に細心の注意が必要であった。
【０００５】
本発明の目的は、智とテンプルとを折り畳み自在に連結するヒンジを挟持して、テンプルの開き具合や傾きなどを調整でき、とくにツーポイントフレーム型の眼鏡枠や、智がレンズに対して直接ねじ止めしてあるリムのない眼鏡などの、テンプルの姿勢矯正に好適なプライヤを提供することにある。
【０００６】
【課題を解決するための手段】
本発明のテンプル矯正用のプライヤは、図１に示すごとく第１くちばし４Ａと、プラスチック製の挟持ブロック１０が装着された第２くちばし４Ｂとを備えている。第１くちばし４Ａには、智２１およびテンプル２２の連結端どうしをヒンジ２３ごと挟持するための一対の挟持腕５が二又状に設けてある。挟持ブロック１０の一側には、挟持腕５と対向する平坦な挟持面１２を設ける。以て、挟持ブロック１０と両挟持腕５とで、智２１およびテンプル２２の連結端と、ヒンジ２３とを内外方向から挟持固定できるようにしたものである。
【０００７】
一対のヒンジ２３は、智２１およびテンプル２２の連結端のそれぞれにろう付けされるベース部２８と、ベース部２８に連続して設けられるボス部２９とを有する。一対の挟持腕５において、ヒンジ２３との接当隅部に、それぞれボス部２９とベース部２８とを結ぶ湾曲面に沿うフィレット面６が形成されている。
【０００８】
挟持ブロック１０は、その一側に設けた取付溝１１を、第２くちばし４Ｂに設けた取付部７に外嵌してビス１３で締結固定する。挟持腕５の前後幅は、取付部７の前後幅と同じか、これよりも僅かに小さく寸法設定する。
【０００９】
挟持ブロック１０の挟持面１２側の前後縁に逃げ面１６を設けて、挟持面１２を先端へ向かって先細状に形成する。
【００１０】
【発明の作用効果】
プライヤの使用時には、図５に示すように、智２１とテンプル２２との連結端に設けたヒンジ２３を一対のくちばし４Ａ・４Ｂで挟持固定する。詳しくは、挟持ブロック１０が智２１とテンプル２２との連結端の外表面に当たり、一対の挟持腕５が智２１とテンプル２２とに固定した一対のヒンジ２３に外接する状態で、智２１とテンプル２２との連結端を固定する。この状態で、テンプル２２を交差する矢印で示すように上下方向および左右方向に変形矯正し、あるいは湾曲する矢印で示すように左右方向に傾動矯正することにより、テンプル２２の開き具合や傾きなどを調整する。このように、ヒンジ２３をプライヤで挟持すると、智２１の腕部２５が極端に短い場合でも、図１に示すように支障なく智２１とテンプル２２とをヒンジ２３を介して確りと固定できるので、ツーポイントフレーム型の眼鏡枠や、智２１がレンズに対して直接ねじ止めしてあるリムのない眼鏡等の腕部２５の長さが短い場合にも、テンプル２２の矯正が確実に、しかも迅速かつ容易に行える。
【００１１】
一対の挟持腕５のヒンジ２３との接当隅部に、ボス部２９とベース部２８とを結ぶ湾曲面に沿うフィレット面６を形成したプライヤによれば、ヒンジ２３を挟持する際にヒンジ２３に作用する面圧が分散するので、テンプル２２の矯正を行う際にヒンジ２３に疵が付くのをよく防止できる。さらに、ボス部２９の両脇をフィレット面６を介して一対の挟持腕５で挟むので、両ヒンジ２３を常に均等に、しかも安定した状態で挟持でき、ベース部２８の左右間隔が小さい場合にも一対のヒンジ２３を確実に挟持操作できる。
【００１２】
挟持腕５の前後幅が、挟持ブロック１０用の取付部７の前後幅と同じか、これよりも小さく寸法設定されていると、挟持ブロック１０に作用する挟持力を取付部７で受け止めることができるので、智２１とテンプル２２との連結部を挟持するとき、挟持ブロック１０がたわみ変形するのを防止して、智２１およびテンプル２２を確りと挟持固定できる。
【００１３】
挟持面１２側の前後縁に逃げ面１６を設けて、挟持面１２を先端へ向かって先細状に形成した挟持ブロック１０によれば、例えば図７に示すように、智２１とテンプル２２との連結部分の近くに装飾体３３が設けてあるような場合にも、装飾体３３に邪魔されることなく、智２１とテンプル２２をヒンジ２３ごと確りと固定して、テンプル２２の姿勢を矯正できる。
【００１４】
【実施例】
図１ないし図５は本発明に係る智用プライヤの実施例を示す。図２において智用のプライヤは、左右一対の挟み腕１ａ・１ｂをＸ字形に組み、交差部分を軸２で止め付けて形成してあり、交差部分の一側に外凸状に湾曲する柄３を設け、他側に一対の第１・第２のくちばし４Ａ・４Ｂを設けてある。
【００１５】
第１くちばし４Ａは、側面視において基部から突端に向かって先すぼまりに形成し、その前後中央の先端から基端寄りにわたって切欠９を設けて、前後一対の挟持腕５が設けてある。挟持腕５は、後述する挟持ブロック１０と共同して、智２１およびテンプル２２をヒンジ２３ごと挟持する。そのために、図１に示すように、両挟持腕５のヒンジ２３との接当隅部にはフィレット面６を形成する。フィレット面６は、ヒンジ２３のボス部２９とベース部２８とを結ぶ湾曲面に沿うように丸められており、これによってヒンジ２３を両くちばし４Ａ・４Ｂで挟持する際に、ヒンジ２３に作用する面圧を分散させて、ヒンジ２３に疵が付くのを防止する。挟持腕５の第２くちばし４Ｂとの対向面は平坦面で形成するが、図２に示すように挟持ブロック１０と僅かな隙間（３mm強）を隔てて対向するとき、両者５・１０の挟持面が平行になるように設定してある。これは、智２１とテンプル２２との連結部をヒンジ２３ごと挟持するときに、両くちばし４Ａ・４Ｂがほぼ平行姿勢になるようにして、挟持個所がくちばし先端側へ押出されるのを防ぐためである。
【００１６】
第２くちばし４Ｂには、図４に示すように扁平棒状の取付部７を形成する。取付部７は側面視において基部から突端に向かって先すぼまり状に形成するが、その前後面は平行に形成し、第１くちばし４Ａと対向する面壁を平坦面で形成する。この取付部７に、先の挟持腕５と協同してヒンジ２３を挟持する挟持ブロック１０を装着する。取付部７の外側面の基部寄りには、図３に示すように後述するビス１３用の挿通孔８と、ビス頭部を受け入れるビス座とを段付きの貫通孔状に形成する。
【００１７】
図４において挟持ブロック１０は、ポリアセタールを素材とするプラスチックブロックからなり、その一側面に断面コ字形の取付溝１１を長手方向に沿って凹み形成し、先の挟持腕５と対向する挟持面１２を平坦に形成する。挟持面１２の基端寄りには、ビス１３用のナット１４を埋設する状態で装着し、さらにねじ挿通孔１５を設ける。
【００１８】
挟持面１２の前後幅は、挟持腕５の前後幅より大きく設定する。また、挟持力を受けた挟持ブロック１０がたわみ変形するのを避けるために、挟持腕５の前後幅は、取付部７の前後幅と同じか、これより僅かに小さく寸法設定する。この実施例では、挟持ブロック１０の前後幅寸法を１0.５mmとするとき、挟持腕５の前後幅を6.３mmとし、取付部７の前後幅を6.５mmとした。
【００１９】
図３に示すように、挟持ブロック１０の取付溝１１に取付部７を嵌め込み、さらに挿通孔８に差し込んだビス１３をナット１４にねじ込むことによって、挟持ブロック１０を第２くちばし４Ｂと一体化できる。柄３を握り締めた状態では、挟持腕５の先端と挟持ブロック１０の先端とのみが接当し、両者５・１０の間隔は先端からくちばし基部に近付くに従って徐々に拡がる。
【００２０】
図５は智用プライヤの使用状態を示す。調整対象としてはリムのない眼鏡を例示しており、符号２０はレンズ、２１は一端がリム２０にビス３０およびナット３１で固定された智、２２は智２１に対してヒンジ２３を介して屈折自在に連結されたテンプルである。図１に示すように智２１はリム２０側の基部２４と、テンプル２２側の腕部２５とでＬ字状に屈曲形成されている。一対のヒンジ２３は、智２１およびテンプル２２の内面側に固定されて、ねじ２７で折り曲げ可能に連結してある。各ヒンジ２３は、智２１およびテンプル２２の連結端のそれぞれにろう付けされるベース部２８と、ベース部２８に連続して設けられる連結用のボス部２９とを有し、両者２８・２９の周面は内凹み状の湾曲面で形成されている（図１参照）。
【００２１】
テンプル２３の開き具合を調整する場合には、プライヤで智２１とテンプル２２をヒンジ２３ごと挟持固定し、テンプル２２の連結端寄りを別のプライヤ、若しくは手で掴んで、テンプル２２を内外いずれかへ曲げる。また、テンプル２２の上下方向の傾きを調整する場合にも同様にして調整を行う。眼鏡を後方から見て、テンプル２２の左右方向の傾斜角度を調整する場合には、先に説明した要領で智２１とテンプル２２とをヒンジ２３ごと挟持固定し、別のプライヤでテンプル２２の連結端寄りを左右に傾けて調整する。
【００２２】
図６および図７は挟持ブロック１０の別実施例を示す。図７に示すように眼鏡によっては、智２１とテンプル２２外面に装飾体３３を設けることがある。こうした眼鏡の場合には、先の実施例で説明したプライヤでは、装飾体３３が邪魔になるため、挟持ブロック１０の挟持面１２を智２１およびテンプル２２に密着させることができない。しかし、図６に示すように、挟持ブロック１０の挟持面１２側の前後縁に逃げ面１６を設けて、挟持面１２を先端へ向かって先細状に形成すると、図７に示すように、挟持面１２の先端の細い部分であれば、装飾体３３に邪魔されることなく、智２１およびテンプル２２を掴むことができるので、テンプル２２の姿勢を容易に矯正できる。なお、この実施例では逃げ面１６を面取面で形成したが、その必要はなく、凹弧面や突弧面で形成してあってもよい。この実施例の挟持ブロック１０は、特殊なフレームの前傾角度を調整する際にも使用できる。
【００２３】
上記の実施例では、挟持腕５におけるヒンジ２３との接当隅部に限ってフィレット面６を形成したが、例えば挟持腕５の断面形状は円形や楕円形などに形成することができる。必要があれば、挟持腕５に挟持ブロック１０と同じ素材で形成したキャップを外嵌装着することができる。ビス１３は挟持面１２の側から取付部７にねじ込んであってもよい。
【図面の簡単な説明】
【図１】プライヤのつかみ部の断面図である。
【図２】プライヤの一部破断正面図である。
【図３】図２におけるＡ部の拡大断面図である。
【図４】第２くちばしの分解斜視図である。
【図５】プライヤの使用状態を示す説明図である。
【図６】挟持ブロックの別実施例を示す斜視図である。
【図７】別実施例に係る挟持ブロックの使用状態を示す斜視図である。
【符号の説明】
４Ａ  第１くちばし
４Ｂ  第２くちばし
５  第１くちばしの第１挟持面
６  フィレット面
７  取付部
１０  挟持ブロック
【図１】
0004095244.tif 000002
【図２】
0004095244.tif 000003
【図３】
0004095244.tif 000004
【図４】
0004095244.tif 000005
【図５】
0004095244.tif 000006
【図６】
0004095244.tif 000007
【図７】
0004095244.tif 000008